(57)【要約】いずれも画像表示可能な第１画像表示面（１１０）及びこの裏面に位置する第２画像表示面（１２０）を有する表示ユニット（１０１）を備えている。この第１画像表示面及び第２画像表示面それぞれの上の画像は、画像切替スイッチ（１１１又は１２１）によって、一方が他方に反転されるようになっている。したがって、ユーザにとっての利便性が高く、小型化及び低コスト化を実現可能な表示装置が提供される。
2004114272.tif 000002
【特許請求の範囲】
【請求項１】
表示光を表側及び裏側の両側に向けて発する画像形成層を含み、前記表側に向けて発せられた表示光により第１面に表示すると共に前記裏側に向けて発せられた表示光により前記第１面の裏面に位置する第２面に表示する表示手段と、
前記第１面に正規画像を表示する第１状態と前記第２面に前記正規画像を表示する第２状態とを切り替えるように前記表示手段を制御する切替制御手段と
を備えたことを特徴とする表示装置。
【請求項２】
前記表示手段は、前記第１状態では、前記第１面に前記正規画像を表示しつつ前記第２面に当該正規画像が裏返った画像を表示し、前記第２状態では、前記第２面に前記正規画像を表示しつつ前記第１面に当該正規画像が裏返った画像を表示することを特徴とする請求の範囲第１項に記載の表示装置。
【請求項３】
前記画像形成層は透明基板上に形成されており、
前記表示手段の前記第１面及び前記第２面のうち一方は、前記画像形成層から前記透明基板を介して発せられた表示光により、前記正規画像又は前記裏返った画像を表示することを特徴とする請求の範囲第１項又は第２項に記載の表示装置。
【請求項４】
前記切替制御手段は、外部操作又は当該表示装置に係る所定動作に応じて、前記第１状態と前記第２状態とを切り替えるための画像切替スイッチを含むことを特徴とする請求の範囲第１項乃至第３項のいずれか一項に記載の表示装置。
【請求項５】
前記切替制御手段は、
前記第１面又は前記第２面に画像を表示するための画像データを反転する画像データ反転手段を含むことを特徴とする請求の範囲第１項乃至第３項のいずれか一項に記載の表示装置。
【請求項６】
前記表示手段は、
前記第１面及び前記第２面に沿って平面配列された複数の画像表示用の信号線と、
該複数の画像表示用の信号線を駆動する信号線駆動手段とを有し、
前記切替制御手段は、前記信号線駆動手段が駆動する前記複数の画像表示用の信号線の順序を反転することで切り替えることを特徴とする請求の範囲第５項に記載の表示装置。
【請求項７】
いずれも同時に画像表示可能な第１面及び該第１面の裏面に位置する第２面を有する表示手段を備えたことを特徴とする表示装置。
【請求項８】
前記表示手段は、
透明基板と、
該透明基板上に配置された発光層と
を備えてなり、
前記発光層から発せられた光が前記第１面及び前記第２面に到達することを特徴とする請求の範囲第７項に記載の表示装置。
【請求項９】
前記透明基板は、第１透明基板と、当該第１透明基板に対向して前記第１透明基板より所定の距離を隔てて配置された第２透明基板とを有し、
前記発光層は、前記第１透明基板上に配置された第１の発光層と、前記第２透明基板上に配置された第２の発光層とを有し、
前記第１面は前記第１透明基板上に存在し、前記第２面は前記第２透明基板上に存在することを特徴とする請求の範囲第８項に記載の表示装置。
【請求項１０】
前記第１面及び前記第２面の上にはマトリクス状に区分された画素が規定され、
前記画素毎に所定の輝度が定められ、
前記所定の輝度は、前記画素毎に、前記第１の発光層の第１発光輝度と前記第２の発光層の第２発光輝度とに割り振られることを特徴とする請求の範囲第９項に記載の表示装置。
【請求項１１】
前記第１面に表示される第１画像は、前記第２面に表示される第２画像と異なることを特徴とする請求の範囲第７項乃至第１０項のいずれか一項に記載の表示装置。
【請求項１２】
前記第１面に表示される第１画像は、前記第２面に表示される第２画像に対して左右又は上下が反転していることを特徴とする請求の範囲第７項乃至第１１項のいずれか一項に記截の表示装置。
【請求項１３】
前記第１面に第１画像が表示されるときは、前記第２面に当該第１画像を裏側から見た画像が表示され、
前記第２面に第２画像が表示されるときは、前記第１面に当該第２画像を裏側から見た画像が表示され、
前記第１画像と前記第２画像とは、同一内容であり、相互に左右又は上下が反転していることを特徴とする請求の範囲第７項乃至第１１項のいずれか一項に記載の表示装置。
【請求項１４】
前記第１画像及び前記第２画像を切り替える切替制御手段を更に備えたことを特徴とする請求の範囲第１１項乃至第１３項のいずれか一項に記載の表示装置。
【請求項１５】
前記切替制御手段は、外部操作又は当該表示装置に係る所定動作に応じて、前記第１画像と前記第２画像とを切り替えるための画像切替スイッチを含むことを特徴とする請求の範囲第１４項に記載の表示装置。
【請求項１６】
前記切替制御手段は、
前記第１面又は前記第２面に画像を表示するための画像データを反転する画像データ反転手段を含むことを特徴とする請求の範囲第１４項又は第１５項に記載の表示装置。
【請求項１７】
前記表示手段は、
前記第１面及び前記第２面に沿って平面配列された複数の画像表示用の信号線と、
該複数の画像表示用の信号線を駆動する信号線駆動手段とを有し、
前記切替制御手段は、前記信号線駆動手段が駆動する前記複数の画像表示用の信号線の順序を反転することで切り替えることを特徴とする請求の範囲第１６項に記載の表示装置。
【請求項１８】
前記表示手段を収容する第１筐体と、
該第１筐体に対して閉じた状態又は開いた状態となり得る、該第１筐体に対して移動可能に連結された第２筐体とを更に備えてなり、
前記切替制御手段は、前記第１筐体及び前記第２筐体が開状態か閉状態かに応じて切り替えることを特徴とする請求の範囲第１項乃至第１７項のいずれか一項に記載の表示装置。
【請求項１９】
前記表示手段は、エレクトロルミネッセンス表示デバイスを含むことを特徴とする請求の範囲第１項乃至第１８項のいずれか一項に記載の表示装置。
【請求項２０】
前記表示手段は、タッチパネル・デバイスを含むことを特徴とする請求の範囲第１項乃至第１９項のいずれか一項に記載の表示装置。
【請求項２１】
請求の範囲第１項乃至第２０項のいずれか一項に記載の表示装置と、
前記表示装置において表示される画像の内容に影響を与える操作ボタンと
を具備することを特徴とする電子機器。
【発明の詳細な説明】
【技術分野】  本発明は、例えばアクティブマトリクス駆動のエレクトロルミネッセンス（ＥｌｅｃｔｒｏＬｕｍｉｎｅｓｃｅｎｃｅ：ＥＬ）装置等の表示装置の技術分野に属する。
【背景技術】  従来、各種の表示装置が提供されている。例えば、投光機の前にフィルムを送り込むことによってスクリーン上に画像を表示する映写機、ブラウン管を備えたディスプレイ等の伝統的な表示装置のほか、近年では、液晶表示装置、プラズマディスプレイ、エレクトロルミネッセンス装置等々も提案されている。これらの表示装置は、表示装置それ自体の機能が主に重視される機器（例えば、テレビ）に使用される。また、当該表示装置は、ＰＤＡ（Ｐｅｒｓｏｎａｌ  Ｄｉｇｉｔａｌ  Ａｓｓｉｓｔａｎｔ）、携帯電話、時計、パーソナルコンピュータ、ビデオカメラなどの電子機器や、コピー機、ファクシミリ装置、切符等の券売機、現金自動預け払い機（ＡＴＭ；Ａｕｔｏｍａｔｅｄ−Ｔｅｌｌｅｒ  Ｍａｃｈｉｎｅ）等々にも使用される。これら機器において、当該表示装置は、主にユーザインターフェイスの用に供されることが一般的である。
上記のうち、携帯電話に設けられた表示装置は、充電残量値、電波状態、メール受信状態、年月日及び時刻等々を表示するために利用されている。特に、折り畳み式の携帯電話の一部は、当該携帯電話を開いた状態のときユーザが閲覧できる表示装置に加えて、当該携帯電話が折り畳まれた状態のとき着信やメール受信等をユーザに知らせる表示装置を別途備えている。上記２つの表示装置は、一つの筐体の表裏面に設けられている（例えば、特開２００３−１３４２０４号公報参照）。
また、切符券売機に設けられた表示装置は、切符の値段や、行き先、乗り換え情報等々を表示するために利用されている。また、切符券売機に設けられる表示装置として、ユーザによる入力を受け付けるいわゆるタッチパネル・デバイスが利用されることもある。
しかしながら、上記折り畳み式の携帯電話は２つの表示装置を備えているため、表示装置を１つ備えた携帯電話と比較して、機器は必然的に大型化し、コストも高くなる。特に、当該表示装置が液晶表示装置（ＬＣＤ）である場合、バックライト等が必要であるため、機器の大型化、高コスト化は必須となる。
また、上記切符券売機では、ユーザが切符券売機を利用する際、操作方法等についての教示や指示は行われない。このため、誤操作を行った時点でその誤りを指摘、取消または修正することのできるシステムが望まれる。特に、高額の商品や権利等を購入する場合には、上記所望のシステムを利用してユーザが販売員と交渉しながら商談を進めることのできるシステムが望まれる。
【発明の開示】
本発明の目的は、ユーザにとっての利便性が高く、小型化及び低コスト化を実現可能な表示装置及びこれを具備した電子機器を提供することである。
本発明は、表示光を表側及び裏側の両側に向けて発する画像形成層を含み、前記表側に向けて発せられた表示光により第１面に表示すると共に前記裏側に向けて発せられた表示光により前記第１面の裏面に位置する第２面に表示する表示手段と、前記第１面に正規画像を表示する第１状態と前記第２面に前記正規画像を表示する第２状態とを切り替えるように前記表示手段を制御する切替制御手段とを備えた表示装置を提供する。
また、本発明は、いずれも同時に画像表示可能な第１面及び該第１面の裏面に位置する第２面を有する表示手段を備えた表示装置を提供する。
さらに、本発明は、上記表示装置と、前記表示装置において表示される画像の内容に影響を与える操作ボタンとを具備する電子機器を提供する。
【図面の簡単な説明】  図１（ａ）及び図１（ｂ）は、本発明に係る第１実施例の表示装置を示す概観図であって、特に、図１（ａ）は第１画像表示面を示し、図１（ｂ）は第２画像表示面を示し、
図２（ａ）は、第１実施例の表示装置の使用態様の一例を示す説明図であって、表示装置の断面図を示すとともに観察者に対する該表示装置の配置関係を示す説明図であり、図２（ｂ）は第１実施例の第１表示態様を示し、図２（ｃ）は第１実施例の第２表示態様を示し、
図３は、図２に示す円内部分Ｃにおける表示ユニットの内部構造を示す拡大断面図であり、
図４は、第１実施例の表示装置が有する駆動回路のブロック図であり、
図５は、図２（ａ）に対応する比較例であり、
図６は、第２実施例の表示ユニットの内部構造を示す拡大断面図であり、
図７（ａ）は、第２実施例の表示装置の使用態様の一例を示す説明図であって、表示装置の断面図を示すとともに観察者に対する該表示装置の配置関係を示す説明図であり、図７（ｂ）は第２実施例の表示態様を示し、
図８（ａ）及び図８（ｂ）は、立体図形の表示例を示す説明図であり、
図９は、第３実施例の表示ユニットの内部構造を示す拡大断面図であり、
図１０（ａ）は、第３実施例の表示装置の使用態様の一例を示す説明図であって、表示装置の断面図を示すとともに観察者に対する該表示装置の配置関係を示す説明図であり、図１０（ｂ）及び図１０（ｃ）は表示態様を示し、
図１１（ａ）〜図１１（ｄ）は、本発明の表示装置を携帯電話に適用した場合を示す概要図であり、
図１２は、図１１とは異なる形態の携帯電話の第１具体例を示す概要図であり、
図１３（ａ）〜図１３（ｄ）は、図１１とは異なる形態の携帯電話の第２具体例を示す概要図であり、
図１４（ａ）〜図１４（ｄ）は、図１１とは異なる形態の携帯電話の第３具体例を示す概要図であり、
図１５（ａ）〜図１５（ｃ）は、本発明の表示装置をノートパソコンに適用した場合を示す概要図であり、
図１６（ａ）及び図１６（ｂ）は、文字列の反転をソフトウェア上で実現する場合の一例を示した説明図である。
なお、図中の符号、１００，２００，３００，４００，５００は表示装置、１０１，２０１，３０１，４０１，５０１は表示ユニット、
１１０，２１０，３１０，４１０，５１０は第１画像表示面、１２０，２２０，３２０，４２０，５２０は第２画像表示面、１１１ｂ，１２１ｂは有機ＥＬ発光層、１１２ｂ，１２２ｂは基板、１１１，１２１は画像切替スイッチ、２１は走査線、３１は画像信号線、５００はタッチパネル・デバイス、６００，６００´，８００，９００は携帯電話、６１０は第１筐体、６２０は第２筐体、７００はノートパソコン、７１０は第１筐体、７２０は第２筐体である。
【発明を実施するための最良の形態】  以下、本発明の表示装置に関する第１の実施形態について説明する。なお、第１の実施形態の表示装置を「第１表示装置」と称する。
第１表示装置は、表示光を表側及び裏側の両側に向けて発する画像形成層を含み、前記表側に向けて発せられた表示光により第１面に表示すると共に前記裏側に向けて発せられた表示光により前記第１面の裏面に位置する第２面に表示する表示手段と、前記第１面に正規画像を表示する第１状態と前記第２面に前記正規画像を表示する第２状態とを切り替えるように前記表示手段を制御する切替制御手段とを備える。
第１表示装置によれば、その動作時、画像形成層から表示光が、表裏両側又は表側若しくは裏側に向けて発せられる。尚、画像形成層は、自発光作用により表示光を発してもよい。或いは、外光又は光源を利用して表示光を発してもよい。表示手段は、表側に向けて発せられた表示光により正規画像を第１面に表示する。この表示状態が第１状態である。また、正規画像の表示と相前後して、表示手段は、裏側に向けて発せられた表示光により正規画像を第２面に表示する。この表示状態が第２状態である。
「正規画像」とは、所望の有意味な画像であって、視覚者が普通に見て理解可能な画像である。例えば、正規画像が文字であれば、表裏反転した文字として読めない画像は正規画像には含まれない。これに対して、「裏返った画像」とは、正規画像が表裏反転した画像である。
第１表示装置では、切替制御手段による制御によって表示手段の第１状態と第２状態とは相互に切り替えられる。このため、第１表示装置は、第１面への正規画像の表示が望まれる場合には第１状態で表示し、第２面への正規画像の表示が望まれる場合には第２状態で表示する。従って、表裏二方向に画像を表示するために、従来のように表示装置を二つ設ける必要がない。これは、従来の表示装置が一方向のみに画像を表示するのに対し、第１表示装置は表裏面ともに画像を表示可能であるためである。
以上により、第１表示装置によれば、当該装置の小型化、薄型化、更にはコストダウンを図ることができる。
なお、前記の「正規画像」及び「裏返った画像」に関する定義では、「正規画像」は有意味な画像、「裏返った画像」は有意味ではない画像と定義した。しかしながら、「裏返った画像」が常に無意味な画像であるとは限らず、画像の内容によっては、裏返った画像も正規画像と同じく「有意味」な画像でありうる。例えば、写真や図形など主に絵柄のみからなる画像であれば、正規画像でも裏返った画像でも、視覚者に同じ観念（例えば、三角形は表裏いずれから見ても「三角形」に見える。）を生じさせることは可能である。また、簡単な文字列であれば、これが裏返った状態で表示されたとしても、その判読が非常に困難になるとは限らない。このため、このような場合における裏返った画像も、「有意味」な画像といい得る。
第１表示装置の第１の態様では、表示手段は、第１状態では、第１面に正規画像を表示しつつ第２面に当該正規画像が裏返った画像を表示し、第２状態では、第２面に正規画像を表示しつつ第１面に当該正規画像が裏返った画像を表示する。
この態様では、画像形成層に表裏二方向から見える画像が形成される。このため、第１面には正規画像が表示され、第２面には裏返った画像が表示される。または、第２面には正規画像が表示され、第１面には裏返った画像が表示される。このように、いずれかの面に正規画像が表示されるが、正規画像をどちらの面に表示するかは切替制御手段により切替可能である。従って、例えば、透過性の有機ＥＬパネルなどの透過型の表示装置を表示手段として好適に用いることが可能となる。
尚、第１状態では、第１面に正規画像を表示しつつ、画像形成層から第２面に向けて表示光を発しない又は第２面に向けて発せられた表示光を遮光することによって、裏返った画像を第２面に表示しなくてもよい。同様に、第２状態では、第２面に正規画像を表示しつつ、画像形成層から第１面に向けて表示光を発しない又は第１面に向けて発せられた表示光を遮光することによって、裏返った画像を第１面に表示しなくてもよい。これらの場合には、正規画像のみが第１及び第２面の何れか一方のみに表示される。
第１表示装置の第２の態様では、画像形成層は透明基板上に形成されており、表示手段の第１面及び第２面のうち一方は、画像形成層から透明基板を介して発せられた表示光により、正規画像又は裏返った画像を表示する。
この態様によれば、正規画像又は裏返った画像を好適に表示することができる。
なお、画像形成層は一対の透明基板間に形成されており、第１面及び第２面の夫々が、画像形成層からいずれかの透明基板を介して発せられた表示光により、正規画像又は裏返った画像が表示されるように構成してもよい。更に、表示光を少なくとも部分的に透過するカバーガラス、カバープレート、レンズなどの、透明或いは半透明な光学部品を透明基板に重ねて配置しても良い。
次に、本発明の表示装置に関する第２の実施形態について説明する。第２の実施形態の表示装置を「第２の表示装置」と称する。第２表示装置は、いずれも同時に画像表示可能な第１面及び該第１面の裏面に位置する第２面を有する表示手段を備えている。
第２表示装置によれば、表示手段の表裏面にそれぞれ位置する第１面及び第２面が、ともに画像表示可能である。したがって、表裏二方向に画像を表示するたために、従来のように表示装置を二つ設ける必要がない。これは、従来の表示装置が一方向のみに画像を表示するのに対し、第２表示装置は表裏面ともに画像を表示可能であるためである。
以上により、第２表示装置によれば、当該装置の小型化、薄型化、更にはコストダウンを図ることができる。
第２表示装置の第１の態様では、第１面及び第２面はいずれも同時に視認可能である。
この態様では、第１面及び第２面のいずれもが視認可能であるから、例えば、第２表示装置を挟んで相対向する２人の一方の者が第１面に表示された画像を見ると同時に、もう一方の者が第２面に表示された画像を見ることができる。従来、例えば、ノートパソコンの画面を２人が同時に見るためには、一方の者が画面を真正面から見る態勢をとると、もう一方の者は画面を斜めから覗き込むような態勢をとらなければならなかった。しかし、本態様によれば、ノートパソコンを挟んで２人が相対向するように座れば、２人共が自然な態勢で画像を見ることができる。
第２表示装置の第２の態様では、表示手段は、透明基板と、該透明基板上に配置された発光層とを備えてなり、発光層から発せられた光が第１面及び第２面に到達する。
この態様によれば、透明基板としてガラスを材料としたものを用いることができ、また、発光層としてエレクトロルミネッセンス素子を用いることが可能である。そして、本態様のように、発光層を用いて画像を表示する表示手段を用いれば、第１面及び第２面に画像を表示する、或いは第１面及び第２面にそれぞれ対向する者が、これら各面に表示された同一画像を見るための構造をよりよく実現することができる。
例えば、発光層から発せられた透明基板を透過した光を用いて第１面に画像を表示し、同時に、発光層から透明基板を透過する光とは反対側に発せられた光を用いて第２面に画像を表示することができる（なお、この反対側には、前記とは別の透明基板などがあってよい。）。これによると、本態様において、第１面及び第２面の双方に画像を表示すること、ひいてはこれらの画像を同時に見ることが比較的容易に可能となる。この点、「表示手段」に発光層を備えない液晶表示装置を用いる場合には、通常、バックライトユニット等が必要となることから、前記説明した簡易な構造を実現することは比較的困難である。
なお、上述の説明では、表示手段に「透明基板」及び「発光層」を設けることにより得られる利点を、液晶表示装置と対比して説明したが、「表示手段」に液晶表示装置が含まれないということを意図するものではない。つまり、本発明の「表示手段」として液晶表示装置を用いてもよい。この場合、例えば、液晶表示装置の側方にバックライトユニットを設置するとともに、適当なライトガイドを用いるといった構造を採用することで、第１面及び第２面の双方に画像を表示することは可能である。
第２の態様では、透明基板は、第１透明基板と、当該第１透明基板に対向して第１透明基板より所定の距離を隔てて配置された第２透明基板とを有し、発光層は、第１透明基板上に配置された第１の発光層と、第２透明基板上に配置された第２の発光層とを有し、第１面は第１透明基板上に存在し、第２面は第２透明基板上に存在するように構成してもよい。
このような構成によれば、例えば、第１面上及び第２面における画像を、第１の発光層及び第２の発光層それぞれから発せられた光によって構成することができる。したがって、第１面及び第２面の各画像表示を、より好適に行うことができる。
また、本態様では特に、第１の発光層による発光輝度と、第２の発光層による発光輝度との間で差を設ければ、第１透明基板及び第２透明基板を介して見られる画像に立体感を与えることが可能になる。例えば、第１面に対向する者（第１観察者）が存在すると仮定して、ある画素に対して輝度“１００”〔％〕の表示を行うとともに、この割合（１００〔％〕）を第１面及び第２面間で割り振る表示を行うことを考える。例えば、第１面は輝度１００〔％〕、第２面は輝度０〔％〕となる表示を行えば、第１観察者にとって当該画素は第１面上に存在するように見える。逆に、第１面は輝度０〔％〕、第２面は輝度１００〔％〕となる表示を行えば、第１観察者にとって当該画素は第２面上に存在するように見える。この両者を比較すれば、前者は後者に比べて第１観察者の方に向かって「飛び出している」ような感覚を第１観察者に与え、後者は前者に比べて「引っ込んでいる」ような感覚を第１観察者に与えることになる。一方、第１面は輝度５０〔％〕、第２面は輝度５０〔％〕となる表示を行えば、当該画素は第１面及び第２面の中間に位置するように見える。
したがって、画素毎に輝度の割り振りを適切に行えば、基本的にどのような立体図形を表現することができる。
第１観察者にとって立体画像が表示されている場合、第２面に対向する者（第２観察者）が見る立体画像は別の意味を有する場合があり得る。例えば、第１観察者にとって「飛び出している」図形は、第２観察者にとって「引っ込んでいる」図形のように見える。また、例えば骨組みだけのごく簡単なワイヤフレーム等の立体図形が表示されている場合は、第１観察者及び第２観察者に対して同時に別の観察面から見ている視覚感を与える。
以上のように、本態様によれば、第１観察者及び第２観察者に、異なる印象を与える立体画像を表示することが可能である。
第１及び第２の発光層を備える第２の態様では、第１面及び第２面の上にはマトリクス状に区分された画素が規定され、画素毎に所定の輝度が定められ、所定の輝度は、画素毎に、第１の発光層の第１発光輝度と第２の発光層の第２発光輝度とに割り振られるように構成されてもよい。
このように構成すれば、輝度変調型の立体表示方式によって、好適に立体図形を表現することができる。
但し、２つの発光層を備えた態様では、適当な距離を隔てて位置する二つの表示画面を利用して、輝度変調型以外の立体表示方式によって、立体図形を表現することも可能である。
第２表示装置の第３の態様では、第１面に表示される第１画像は、第２面に表示される第２画像と異なっている。この態様では、第１面に表示される第１画像は、第２面に表示される第２画像に対して左右又は上下が反転しているようにされていると好ましい。更には、第１面に第１画像が表示されるときは、第２面に当該第１画像をその裏側から見た画像がそのまま表示され、第２面に第２画像が表示されるときは、第１面に当該第２画像をその裏側から見た画像がそのまま表示され、第１画像と第２画像とは、相互に左右又は上下が反転した関係にあるとともに、これら第１画像及び第２画像は同一内容を有するようにされていると好ましい。
この態様によれば、表示手段の表裏面に対応する第１面及び第２面に対向する２人の者に、それぞれ適切な画像を表示することが可能である。例えば、一方の者が見る第１面に表示された第１画像に対し、もう一方の者が見る第２面に表示された第２画像は、第１画像が裏返った画像である。したがって、当該もう一方の者が第２画像を判読する際には、一般に困難を感じる。これは、第１面を通して第２面に第２画像が「そのまま」表示される場合にも当然あてはまる。
このため、第１画像及び第２画像は、左右又は上下が反転していることが望ましい。上下又は左右が「反転している」とは、下記の表に記載された状態を意味している。
2004114272.tif 000003
「状態Ｉ」の場合、第２面には、第１画像が裏返った画像、即ち判読が困難な画像（〔Ｉ−２〕の欄参照）が表示される。また、「状態ＩＩ」の場合、第１面には、第２画像が裏返った画像、即ち判読が困難な画像（〔ＩＩ−１〕の欄参照）が表示される。
この場合、「第１画像」及び「第２画像」は、「正規画像」、即ち所望の有意味な画像である。例えば、第１画像が「１２３４５」という、左から順に「１」から「５」までの文字列を含む画像であるとするなら、第２画像もまた「１２３４５」という、左から順に「１」から「５」までの文字列を含む画像である。更に、第１画像及び第２画像の一方は他方に対して「反転」した関係にある。仮に、第１画像が左に、第２画像が右に位置するように表示手段を「上方」から臨んだ平面図を想定すると、文字列「１２３４５」の例に従えば、左側の第１画像の文字列は当該平面図の「上」から並び、右側の第２画像の文字列は「下」から並ぶ、という画像表示が行われる関係が「反転」である。なお、本発明にいう「異なっている」とは、かかる場合における第１画像及び第２画像間の差異を含む。
なお、状態Ｉ及び状態ＩＩは一時に同時に実現されず、第２表示装置は、ある一定期間の状態が「状態Ｉ」であり、次の一定期間の状態が「状態ＩＩ」であり、次の一定期間の状態「状態Ｉ」であり…、といった制御を行う。
本態様によれば、表示手段を挟んで相対向する双方の者にとって、意味のある画像を表示することが可能となる。したがって、第１画像及び第２画像が同一内容である場合には、両者が共通して画像を理解することができる。
なお、前記の「第１画像」及び「第２画像」に関する記述では、第１画像（又は第２画像）は有意味な画像、裏返った画像は判読が困難な画像と説明した。しかしながら、「裏返った画像」が常に無意味な画像であるとは限らず、画像の内容によっては、裏返った画像も第１画像（又は第２画像）と同じく「有意味」な画像でありうる。例えば、写真や図形など主に絵柄のみからなる画像であれば、双方の画像によって視覚者に同じ観念（例えば、三角形は表裏いずれから見ても「三角形」に見える。）を生じさせることは可能である。また、簡単な文字列であれば、これが裏返った状態で表示さえたとしても、その判読が非常に困難になるとは限らない。このため、このような場合における裏返った画像も、「有意味」な画像といい得る。
また、「異なっている」、「上下又は左右が反転している」にはそれぞれ、第１面及び第２面に以下の表に示される画像が表示される場合が含まれる。ただし、これらのような画像表示を行うためには、第２表示装置が、第１の発光層及び第２の発行層を備えた態様、言い換えると、第１面及び第２面が独立して画像を表示することができる態様である方が好ましい。
2004114272.tif 000004
第２表示装置の態様の内、第１画像及び第２画像が異なる態様、或いは左右又は上下で反転している態様では、第２表示装置は、第１画像及び第２画像を切り替える切替制御手段を更に備えてもよい。
この構成によれば、相互に異なる、或いは左右又は上下が反転した第１画像及び第２画像間を切替制御手段によって切り替えることができる。
第１表示装置又は第２表示装置が切替制御手段を備えた態様では、切替制御手段は、外部操作又は当該表示装置に係る所定動作に応じて切り替えるための画像切替スイッチを含んでもよい。
この態様によれば、第１状態及び第２状態間の切り蓄え、又は相互に異なる、若しくは、左右若しくは上下が反転した第１画像及び第２画像間の切り替えを、画像切替スイッチによって行うことができる。「画像切替スイッチ」とは、当該表示装置のユーザによって直接操作される各種のボタン、スイッチ等々が用いられる。
第１表示装置又は第２表示装置が切替制御手段を備えた態様では、切替制御手段は、第１面又は第２面における画像表示のために表示手段に入力される画像データを反転することで切り替える画像データ反転手段を含んでもよい。
この態様によれば、第１状態及び第２状態間の切り替え、又は左右若しくは上下が反転した第１画像及び第２画像間の切り替えをより容易に行うことができる。即ち、切り替えのためには、表示装置に入力される画像データを反転すればよいため、入力後の駆動方式に対しては何ら変更を加える必要は無い。
また、表示手段は、第１面及び第２面に沿って平面配列された複数の画像表示用の信号線と、該複数の画像表示用の信号線を駆動する信号線駆動手段とを有し、切替制御手段は、信号線駆動手段における複数の画像表示用の信号線を駆動する順序を反転することで切り替えてもよい。
この構成によれば、例えば、マトリクス状に配列された発光層によって画像表示を行う場合に、第１状態及び第２状態間の切り替え、又は左右若しくは上下が反転した第１画像及び第２画像間の切り替えをより容易に行うことができる。例えば、交差するように配線された複数の走査線及び複数の信号線を用いてアクティブマトリクス駆動或いはパッシブマトリクス駆動する場合には、走査線駆動回路が走査線を駆動する順番を反転させれば、各走査線の延在方向に直交する方向に反転した、即ち上下反転した反転画像が得られる。また、この場合には、画像信号線駆動回路が画像信号線を駆動する順番を反転させれば、各信号線の延在方向に直交する方向に反転した、即ち左右反転した反転画像が得られる。更に、両駆動回路が駆動する順番を反転させれば、上下且つ左右に反転した反転画像が得られる。
即ち、切り替えのためには、表示装置に入力される画像データを反転する必要はなく、入力後の駆動方式を変更すればよい。尚、入力される画像データと駆動方式との両方に変更を加えることで、正規画像と反転画像との切替え、或いは第１画像と第２画像との切替を行うことも可能である。
第１表示装置又は第２表示装置の他の態様では、表示手段を収容する第１筐体と、該第１筐体に対して閉じた状態又は開いた状態をとりうるように該第１筐体に対して移動可能に連結された第２筐体とを更に備えてなり、切替制御手段は、第１筐体及び第２筐体が相互に開いた状態にあるとき及び閉じた状態にあるときの相違に応じて切り替える。
この態様によれば、例えば、第１筐体及び第２筐体が閉じた状態から開いた状態にされるとき、又はその逆のときに、切替制御手段によって、自動的に、第１状態及び第２状態間の切り替え、又は相互に異なる、若しくは、左右若しくは上下が反転した第１画像及び第２画像間の表示切替が行われる。この場合、第１筐体及び第２筐体が閉じた状態である折り畳まれた状態のときユーザが「第１面」に対向していれば、第１筐体及び第２筐体が開いた状態にされると、当該ユーザは「第２面」に対向する。しかし、自動的に切り替えが行われるのであれば、ユーザによる操作がなくても、ユーザにとって有意味な画像を表示することができる。
上記説明した第１表示装置及び第２表示装置は、例えば、折り畳み式の携帯電話やノートパソコン等に用いられる。
第１表示装置又は第２表示装置の他の態様では、表示手段はエレクトロルミネッセンス表示デバイスを含む。
この態様によれば、表示装置、特に発光層を含む表示装置を、より好適に構成することができる。
ＥＬ表示デバイスは、ボトムエミッション（Ｂｏｔｔｏｍ  Ｅｍｉｓｓｉｏｎ）方式であっても、トップエミッション（Ｔｏｐ  Ｅｍｉｓｓｉｏｎ）方式であっても、トランスペアレント（Ｔｒａｎｓｐａｒｅｎｔ）方式であってもよい。「ボトムエミッション方式」とは、例えば有機ＥＬ発光層から発せられた光が、例えばＩＴＯ電極側（即ち、基板側）へ伝搬する態様の有機ＥＬ表示デバイスである。「トップエミッション方式」とは、例えば有機ＥＬ発光層から出射した光が、例えば陰極側（即ち、基板側とは反対の側）へ伝搬する態様の有機ＥＬ表示デバイスである。「トランスペアレント方式」、例えば有機ＥＬ発光層から出射した光が、例えば陰極側或いはＩＴＯ電極側の何れの側にも伝搬する態様の有機ＥＬ表示デバイスである。なお、ＥＬ表示デバイスは、アクティブマトリックス（Ａｃｔｉｖｅ  Ｍａｔｒｉｘ）型駆動方式であっても、パッシブマトリックス（Ｐａｓｓｉｖｅ  Ｍａｔｒｉｘ）型駆動方式であってもよい。
本態様にいう「エレクトロルミネッセンス表示デバイス」とは、有機又は無機ＥＬ表示デバイスを含む。
第１表示装置又は第２表示装置の他の態様では、表示手段がタッチパネル・デバイスを含む。
この態様によれば、当該表示装置は、ユーザに対する情報伝達手段としての機能だけでなく、ユーザからの情報入力手段としての機能をも有する。したがって、表示手段は、ユーザにより好適な使用環境等を提供することができる。
なお、「タッチパネル・デバイス」には、静電容量方式、超音波方式、光学式、抵抗膜方式など、基本的に如何なる方式であっても採用することが可能である。
本発明に係る電子機器の一実施形態は、上述した第１表示装置又は第２表示装置と、当該表示装置の画像表示を制御するための操作ボタンとを具備する。
当該電子機器は、例えば、テレビ受像機、電子手帳、携帯電話、時計、パーソナルコンピュータ、ビデオカメラなどの電子機器や、コピー機、ファクシミリ装置、切符等の券売機、現金自動預け払い機等々である。
上記説明した第１表示装置又は第２表示装置によれば、１つの表示手段で表裏面に画像を表示することが可能であるから、２つの表示装置を備えた従来技術に比べて、小型化、薄型化及びコストダウンが可能となる。また、ユーザにとっての利便性が高まる結果、よりユーザフレンドリーな表示装置を提供することができる。
【実施例】  以下、本発明の表示装置に係る実施例について図を参照しつつ説明する。
（第１実施例  −  一般的形態）
図１から図５を参照して、本発明の表示装置に係る第１実施例について説明する。図１（ａ）及び図１（ｂ）は、第１実施例の表示装置を示す概観図であって、特に、図１（ａ）は第１画像表示面を示し、図１（ｂ）は第２画像表示面を示す。図２（ａ）は、第１実施例の表示装置の使用態様の一例を示す説明図であって、表示装置の断面図を示すとともにユーザに対する該表示装置の配置関係を示す説明図であり、図２（ｂ）は第１実施例の第１表示態様を示し、図２（ｃ）は第１実施例の第２表示態様を示す。図３は、図２に示す円内部分Ｃにおける表示ユニットの内部構造を示す拡大断面図である。図４は、第１実施例の表示装置が有する駆動回路のブロック図である。図５は、図２（ａ）に対応する比較例である。
図１（ａ）及び図１（ｂ）に示すように、表示装置１００は、略直方体形状であり、上記表示手段である表示ユニット１０１を備えている。表示ユニット１０１の一面は第１画像表示面１１０であり、その裏面は第２画像表示面１２０である。表示ユニット１０１は、図２（ａ）に示すように一体のみ設けられており、一体の表示ユニット１０１のみでその表裏面の画像表示が可能である。
表示ユニット１０１は、図３に示す内部構造によって画像表示が可能である。表示ユニット１０１は、有機ＥＬ発光層１１１ｂと、基板１１２ｂと、ＩＴＯ（Ｉｎｄｉｕｍ  Ｔｉｎ  Ｏｘｉｄｅ：インジウム・スズ・オキサイド）電極（陽極）１１３と、透明電極（陰極）１１４と、絶縁膜１１５と、陰極隔壁１１６と、透明ガラス封止缶１１７とを備えている。
有機ＥＬ発光層１１１ｂは、何れも図示しない、正孔注入層、正孔輸送層、発光層、電子輸送層及び電子注入層を含んでいる。正孔注入層は、例えばＣｕＰｃ（銅フタロシアニン）により、正孔輸送層は、例えばＮＰＢ（Ｎ，Ｎ−ｄｉ（ｎａｐｈｔｈａｌｅｎｅ−１−ｙ１）−Ｎ，Ｎ−ｄｉｐｈｅｎｙｌ−ｂｅｎｚｉｄｅｎｅ）により、発光層は、例えばＡｌｑ３（トリス（８−ヒドロキシキノリン）アルミニウム）により形成され、電子輸送層は、例えばＢＣＰ（バソキュプロイン又はバトクプロイン：ｂａｔｈｏｃｕｐｒｏｉｎｅ）により形成され、電子注入層は、例えばＬｉＦ（フッ化リチウム）により形成されている。有機ＥＬ発光層１１１ｂが一つの画素を形成する。有機ＥＬ発光層１１１ｂの夫々は、相等しい大きさであってもよい。
基板１１２ｂは、有機ＥＬ発光層１１１ｂを保護し、支持するためのものであり、例えばガラス基板を含む。ガラス基板に代えてポリマーフィルムを基板を含んでもよい。
ＩＴＯ電極１１３は、光透過性を有するアノード電極である。アノード電極として、透明なＩＴＯ電極に代えて、透明なＩＺＯ（Ｉｎｄｉｕｍ  Ｚｉｎｃ  Ｏｘｉｄｅ：インジウム・亜鉛・オキサイド）電極を用いてもよい。図３に示す表示ユニット１０１の場合、ＩＴＯ電極１１３の屈折率は、基板層１１２ｂの屈折率と等しいことが好ましい。透明電極１１４は、例えばＩＺＯを含んでなる光透過性を有するカソード電極である。透明電極１１４は、ＩＴＯを含む電極或いは薄膜状の金属電極であってもよい。
絶縁膜１１５は、電流リークを抑えるためのものである。絶縁膜１１５は、例えばポリイミドによって、有機ＥＬ発光層１１１ｂが形成される位置以外の基板上に形成されている。陰極隔壁１１６は、陰極形成の際、任意の形状にパターニングするために、陰極が形成される部分を除いて絶縁膜１１５の上に形成される。透明ガラス封止缶１１７は、上述の構成要素を、外部の影響から保護するためのものである。透明ガラス封止缶に加えて或いは代えて、透明封止膜を用いてもよい。
表示ユニット１０１は、有機ＥＬ発光層１１１ｂの図３中上下双方の側に、いずれも透明なＩＴＯ電極１１３及び透明電極１１４が備えているから、該有機ＥＬ発光層１１１ｂから発せられた光は、図３中上方向にも下方向にも放たれる。このため、第１実施例の表示装置１００は、図１（ａ）及び図１（ｂ）に示すように、第１画像表示面１１０及び第２画像表示面１２０のそれぞれに画像を表示することができる。
表示装置１００の両面には、それぞれ、画像切替スイッチ１１１及び１２１が設けられている。画像切替スイッチ１１１及び１２１を押下すると、後述するように第１画像表示面１１０に表示されていた画像を左右に反転した画像が、第２画像表示面１２０に表示される。このような画像切替、或いはより一般に当該表示ユニット１０１における画像表示は、図４に示すような回路系を備えることにより実現される。
図４に示すように、表示ユニット１０１は、走査線２１及び画像信号線３１を備えている。有機ＥＬ発光層１１１ｂの各々は、図４に示すように格子状に配列された走査線２１及び画像信号線３１の各交差点Ｘに対応するように配置されている（なお、図４では、複雑化を避けるため、画像表示面内の走査線２１及び画像信号線３１を適当に間引いて図示した。）。また、ＩＴＯ電極１１３は走査線２１に電気的に接続されており、透明電極１１４は画像信号線３１に電気的に接続されている。これにより、走査線２１及び画像信号線３１それぞれに所定の信号を送れば、各交差点Ｘに対応して配置された、ＩＴＯ電極１１３及び透明電極１１４間に所定の電位差を生じさせることが可能となる。したがって、当該交差点Ｘごとに、有機ＥＬ発光層１１１ｂに異なる電圧を印加することが可能となる。この結果、画素毎に発光の程度を異ならせることが可能となる。
一方、走査線２１は走査線駆動回路２０に接続されており、画像信号線３１は画像信号線駆動回路３０に接続されている。画像信号駆動回路３０は画像信号生成回路２に接続され、該画像信号生成回路２は画像切替スイッチ１１１及び１２１に接続されている。
これにより、表示ユニット１０１は、以下のようにして画像を表示する。ある一本の走査線２１に対応する所定の画像を表示するための画像信号が、画像信号生成回路２によって生成される。当該画像信号は、画像信号線３１の一本一本に対応して生成される。例えば、当該画像信号が“１”又は“０”でのみ表される極めて簡単な例を想定すれば、図５に示した画像信号生成回路２は、“１００１１…０１”などといった画像信号を生成する。この数列の各桁が画像信号線３１の一本一本に対応している。この画像信号が、画像信号線駆動回路３０を介して各画像信号線３１に送り込まれるとともに、ある一本の走査線２１に所定の走査信号を送り込むことによって、各画像信号線３１及び当該一本の走査線２１によって規定される交差点Ｘに対応した有機ＥＬ発光層１１１ｂに所定の電界が印加される。かかる処理を、全走査線２１について実施すれば、一枚の画像が表示されることになる。
画像切替スイッチ１１１及び１２１は、次のように作用する。画像信号生成回路２は、上述した画像信号を適宜生成するが、画像切替スイッチ１１１又は１２１が押下されると、この画像信号が反転される契機となる。例えば、画像信号生成回路２が“１００１１…０１”といった画像信号を生成した場合、画像切替スイッチ１１１又は１２１が押下されると、画像信号は、“１０…１１００１”と反転される。このようにして、第１画像表示面１１０又は第２画像表示面１２０に表示された画像は反転される。
かかる構成を備えた表示装置１００によれば、以下に述べる各種の作用効果が得られる。以下、これを順次説明する。
まず、第一に、第１実施例に係る表示装置１００は、図２に示すように使用され得る。すなわち、図２（ａ）に示すように、本実施例に係る表示装置１００の使用者たる第１観察者及び第２観察者は、両者の間に当該表示装置１００を配置して、これを同時に視認する。この場合、第１観察者及び第２観察者は、それぞれ、表示装置１００の表裏面における第１及び第２画像表示面１１０及び１２０に対向するようなかたちとなる。
そして、このような状態においては、まず、表示装置１００において、図２（ｂ）、或いは図１に示すような第１表示態様による表示が実現されることになる。この場合、表示ユニット１０１では、第１観察者にとっては有意味ではあるが、第２観察者にとっては判読が困難な画像（以下、「第１観察者用画像」ということがある。）が表示されている。ここで該第１観察者用画像が、第２観察者にとって判読が困難になるのは、該第１観察者用画像が「そのまま」表示される、即ち、その画像は、当該第２観察者にとって第１観察者用画像が裏返ったものとして観察されることによっている。なお、「そのまま」表示される理由は、第１実施例における表示ユニット１０１が図３に示すような構造を採用しているためである。
ここで第１実施例においては、かかる場合に、第１観察者又は第２観察者が、画像切替スイッチ１１１又は１２１を押下することによって、前記第１観察者用画像を、第２観察者にとっては有意味ではあるが、第１観察者にとっては判読が困難な画像（以下、「第２観察者用画像」ということがある。）の表示へと切り替えることが可能である。この際、画像切替スイッチ１１１及び１２１の押下によれば、前述したように、画像信号生成回路２における画像信号の、画像信号線３１に対応した配列が反転される。これにより、前記第２観察者用画像は、図２（ｃ）に示すようなものとして表示されることになるのである。
このように、第１実施例に係る表示装置１００によれば、該表示装置１００を挟んで対向する２人の観察者の双方に、意味のある画像を表示することが可能である。
しかも、第１実施例によれば、かかる作用が得られるにもかかわらず、表示ユニット１０１は一体のみ設けられているだけであるから、装置の大型化、厚型化、コストアップ等を招くことがない。これは、比較例として示す図５と、図１、あるいは図２等と対照することにより、より明瞭となる。図５では、第１実施例の表示装置１００と同様な機能を実現すべく、第１画像表示面１１０´及び第２画像表示面１２０´を備えているが、これら第１及び第２画像表示面１１０´及び１２０´は、それぞれ別の表示ユニット１０１Ａ及び１０１Ｂの一面に対応しているものである。このような構造では、図５に示すように、それぞれ独立の表示ユニット１０１Ａ及び１０１Ｂを二つ設ける必要があるばかりか、これら表示ユニット１０１Ａ及び１０１Ｂを支持するための比較的大型となるハウジングＨを用意しなければならず、しかも、該ハウジングＨは、表示ユニット１０１Ａと１０１Ｂとの間に適切な間隔を確保するように形成しなければならないことが一般的である（表示ユニット１０１Ａ及び１０１Ｂが液晶表示装置である場合には、当該間隔に図示しないバックライトユニットが設けられることもある。）。したがって、当該表示装置は、大型化、厚型化、コストアップすることが殆ど必定である。しかるに、第１実施例に係る表示装置１００は、既に述べたところから明らかなように、かかる懸念は全く生じず、当該表示装置１００の小型化、薄型化、コストダウンを極めて好適に図ることができるのである。
なお、上記第１実施例においては、画像を反転させるために、画像信号生成回路２において生成された画像信号の配列を、反転させることによっていたが、本発明は、これ以外の方法も利用することができる。例えば、図４に示した画像信号線駆動回路３０には、各画像信号線３１に画像信号を送り出すタイミングを司るためのサンプリングスイッチ（不図示）が、これら各画像信号線３１に対応するように設けられているが、画像を反転させるためには、これらサンプリングスイッチのＯＮ・ＯＦＦの順番を変えることを利用することもできる。また、上記第１実施例では、走査線２１を駆動するための走査線駆動回路２０は、図中片側にのみ設けられているが、これを両側に設けるようにしてもよい。
（第２実施例  −  立体画像表示可能な形態）
図６及び図７を参照して、本発明の表示装置に係る第２実施例について説明する。図６は、第２実施例の表示ユニットの内部構造を示す拡大断面図である。また、図７（ａ）は、第２実施例の表示装置の使用態様の一例を示す説明図であって、表示装置の断面図を示すとともに観察者に対する該表示装置の配置関係を示す説明図であり、図７（ｂ）は第２実施例の表示態様を示す。なお、以下の説明では、第２実施例の表示装置に関して、第１実施例と同様な部分等についての説明は、省略ないしは簡略化する。また、以下参照する図面においては、第１実施例の表示装置を構成する要素と実質的に同一の要素に対しては、同じ符号を用いる。
第２実施例の表示装置２００の外観は、第１実施例の表示装置１００と同様である。すなわち、表示装置２００は、図１に示した表示装置１００と同様に、略直方体形状であり、表示ユニット２０１を備えている。
第２実施例の表示ユニット２０１は、図６に示す内部構造を有している。表示ユニット２０１は、前画面１１ｂ及び後画面１２ｂを有する。前画面１１ｂは、有機ＥＬ発光層１１１ｂと、基板１１２ｂと、ＩＴＯ電極（陽極）１１３と、透明電極（陰極）１１４と、絶縁膜１１５と、陰極隔壁１１６と、透明ガラス封止缶１１７とを備える。また、後画面１２ｂは、有機ＥＬ発光層１２１ｂと、基板１２２ｂと、ＩＴＯ電極（陽極）１２３と、透明電極（陰極）１２４と、絶縁膜１２５と、陰極隔壁１２６と、透明ガラス封止缶１２７とを備える。前画面１１ｂを構成する各要素は、図３に示した各要素と実質的に全く同一である。また、後画面１２ｂを構成する各要素も、図３に示した各要素と実質的に全く同一である。
ただし、第２実施例の表示ユニット２０１は、前画面１１ｂ及び後画面１２ｂが別々の基板１１２ｂ及び１２２ｂを基本として構成されるとともに、これら基板１１２ｂ及び１２２ｂは、各要素が設けられていない面を対向させるように（いわば背中合わせとなるように）配置されている。この場合、前画面１１ｂの有機ＥＬ発光層１１１ｂの配列と、後画面１２ｂの有機ＥＬ発光層１２１ｂの配列が相互に一致するように、即ち画素単位で前画面１１ｂ及び後画面１２ｂが重ね合わせられるように、両基板は重ね合わされている。また、これら基板１１２ｂ及び１２２ｂ間には、スペーサ２１が設けられている。このため、基板１１２ｂ及び１２２ｂ間には、該スペーサ２１の高さに略一致する間隔の隙間Ｅが形成されている。なお、この隙間Ｅ内は、例えば単に空気が閉じ込められている。
かかる構造を有する表示ユニット２０１によれば、まず、前画面１１ｂの側には、有機ＥＬ発光層１１１ｂから発せられた光が放出されてくる他、後画面１２ｂを構成する有機ＥＬ発光層１２１ｂから発せられた光もまた放出されてくることになる。他方、後画面１２ｂの側にも、有機ＥＬ発光層１２１ｂから発せられた光が放出されてくる他、前画面１１ｂを構成する有機ＥＬ発光層１１１ｂから発せられた光もまた放出されてくることになる。このようにして、第２実施例に係る表示装置２００においても、図７に示すように、第１画像表示面２１０及び第２画像表示面２２０それぞれにおける画像表示を行うことができる。
そして、第２実施例では特に、有機ＥＬ発光層１１１ｂによる発光輝度と、有機ＥＬ発光層１２１ｂによるそれとの間で差を設けるようにすれば、基板１１２ｂ及び基板１２２ｂを通して見る画像に立体感を付与することが可能になる。具体的には例えば、図７に示すように、第１画像表示面２１０に対向する第１プレーヤが存在するとして、ある画素につき輝度“１００”〔％〕の表示を行うとともに、この割合を第１画像表示面２１０及び第２画像表示面２２０間で割り振る表示を行うことを考える。例えば、第１画像表示面２１０において輝度１００〔％〕、第２画像表示面２２０において輝度０〔％〕となるような表示を行えば、当該画素は、前記第１プレーヤにとって第１画像表示面２１０上に存在するように見え、逆に、第１画像表示面２１０において輝度０〔％〕、第２画像表示面２２０において輝度１００〔％〕となるような表示を行えば、当該画素は、前記第１プレーヤにとって、第２画像表示面２２０上に存在するように見える。この両者を比較すれば、前者は後者に比べて当該第１プレーヤの方に向かっていわば「飛び出している」ような感覚を該第１プレーヤに与え、後者は前者に比べていわば「引っ込んでいる」ような感覚を該第１プレーヤに与えることになる。一方、ある画素につき第１画像表示面２１０において輝度５０〔％〕、第２画像表示面２２０において輝度５０〔％〕の表示を行えば、当該画素は、第１画像表示面２１０及び第２画像表示面２２０の中間に位置するように見えることになる。
このようなことから、上述のような輝度の割り振りを各画素について適切に行えば、本態様において、基本的にどのような立体図形を表現することもできることになる。
そして、上述のような原理によって、第１プレーヤにとって、ある立体画像が表示されている場合においては、当該立体画像が、第２画像表示面２２０に対向する第２プレーヤに観察される場合においても、ある一定の意味を有する場合があり得ることがわかる。例えば、第１プレーヤにとって「飛び出している」図形は、第２プレーヤにとって「引っ込んでいる」図形のように見える、というようなことが実現できる。
このような原理を利用すると、例えば図７に示すように、当該表示装置２００を用いてゲームを楽しむことができる。図７においては、第１及び第２プレーヤが、表示装置２００を用いて、いわば「積木上げゲーム」を楽しんでいる様子が図示されている。図７では、第１及び第２プレーヤが、表示装置２００に設けられた積木上げスイッチ２１１及び２２１（これら積木上げスイッチ２１１及び２２１は、図示はしないが、第１画像表示面２１０及び第２画像表示面２２０の各面に応じ、それぞれ、２行３列の各独立のボタン（都合、１２個のボタン）として設けられているものとする。）を押下することによって、画面上の積木が相手方に向かって積み上げられていくようになっている。例えば、第２プレーヤが、１行目且つ１列目（但し、第２プレーヤから見て「１行目且つ１列目」ということ。）の積木上げスイッチ２２１を押下すると、その押下のたびに、画像上対応する１行目且つ１列目のブロック２２Ｂが、第１プレーヤに向かって積み上げられて行く（図７（ｂ）の右方参照）。この際、相手方である第１プレーヤの側からは、１行目且つ「３列目」のブロック２１Ｂが自分の方に向かって積み上げられていくことになる（図７（ｂ）の左方参照）。
そして、第２実施例によれば、かかるブロック２２Ｂないしは２１Ｂが積み上げられていく様子は、極めてリアルな立体画像として表現されるのである。すなわち、第２プレーヤからは、ブロック２２Ｂが遠ざかっていくように見えることになるし、第１プレーヤからは、ブロック２１Ｂが近づいてくるように見えることになるのである。
ちなみに、図７においては、前記のようなルールの下、自らの方向に向かって積み上げられた積木の数が所定の段階を越えるごとに、順次点灯していくシグナル２３もまた表示されている（各自の左側から順に点灯していき、点灯数が多いほど、自らが劣勢にあることを示している。）。かかるシグナル２３のようなものは、例えば、有機ＥＬ発光層１１１ｂ及び有機ＥＬ発光層１２１ｂそれぞれによる発光輝度が５０〔％〕ずつとなるように設定するとよい。
以上のように、第２実施例に係る表示装置２００によれば、第１及び第２観察者に、異なる印象を与える立体画像を表示することが可能であり、種々の領域において、今までにはない特異な用法に適した表示装置を提供することができることになる。具体的には、既に説明したようなゲームその他のアミューズメント用途としての利用が非常に有効であると考えられる。
むろん、そのような利用方法以外の用法にも広く応用が可能であることは言うまでもない。例えば、場合により、第１観察者及び第２観察者に、同一の立体図形を同時に別の観察面から観察している、という視覚感を与えることなども可能と考えられる。具体的には、図８に示すような、骨組みだけのごく簡単なワイヤフレーム等を表示するのであれば、かかる視覚感を実現することができる。なお、同図では、三角錐を形作るワイヤフレームが表示されている。この図８において、（ａ）に示す第１画像表示面で、点Ｐ１がより手前に、面Ｆ１がより奥に位置するように表示されているとすれば、（ｂ）に示す第２画像表示面では、その逆に、点Ｐ１がより奥に、面Ｆ１がより手前に位置するように表示されることになる。そうすると、第１観察者及び第２観察者は、同一の立体図形を同時に別の観察面から観察している、という視覚感を得ることになる。
なお、第２実施例における使用態様を採る場合には、第１実施例で説明したような画像切替スイッチは必ずしも必要ではないが、これを設けたとしても構わないことは言うまでもない。
（第３実施例  −  タッチパネルデバイスを備える形態）
図９及び図１０を参照して、本発明の表示装置に係る第３実施例について説明する。図９は、第３実施例の表示ユニットの内部構造を示す拡大断面図である。また、図１０は、第３実施例の表示装置の使用態様の一例を示す説明図であって、表示装置の断面図を示すとともに観察者に対する該表示装置の配置関係を示す説明図であり、図１０（ｂ）及び図１０（ｃ）は表示態様を示す。なお、以下の説明では、第３実施例の表示装置に関して、第１実施例と同様な部分等についての説明は、省略ないしは簡略化する。また、以下参照する図面においては、第１実施例の表示装置を構成する要素と実質的に同一の要素に対しては、同じ符号を用いる。
第３実施例の表示装置３００の外観は、第１実施例の表示装置１００と同様である。すなわち、表示装置３００は、図１に示した表示装置１００と同様に、略直方体形状であり、表示ユニット３０１を備えている。
第３実施例の表示ユニット３０１は、図９に示す内部構造を有している。表示ユニット３０１は、基本的に、第１実施例の表示ユニット１０１と同一の要素を備え、且つ、同一の内部構造を有する。したがって、表示ユニット３０１によれば、第１実施例と同様に、第１画像表示面３１０及び第２画像表示面３２０に画像を表示することができる。
ただ、第３実施例では特に、タッチパネル・デバイス５００を備えている点に特徴がある。タッチパネル・デバイス５００は、発光素子５１１と、受光素子５１２と、反射鏡５２０とを有する。発光素子５１１から発せられた赤外光等の光は、透明ガラス封止缶１１７の上を図中右方向に進行し、反射鏡５２０で反射した後、受光素子５１２に至る。発光素子５１１及び受光素子５１２並びに反射鏡５２０は、これらを一組として、図中奥行き方向に複数配列されている。さらに、図９においては図示されないが、発光素子５１１及び受光素子５１２と反射鏡５２０との間で規定される光の進行路（図９中矢印参照）と直交する方向にも、光の進行路が形成されるべく、発光素子及び受光素子並びに反射鏡が別途設けられている。このため、透明ガラス封止缶１１７を平面視すると、相互に直交する方向に複数の光の進行路が形成されている。
このような構成により、ユーザが、透明ガラス封止缶１１７の表面上のある所定の箇所を指で触れるなどすると、その指によって、当該箇所における光の進行が遮られることになり、該当する受光素子５１２における光の検出がなされなくなることから、当該箇所の具体的な位置を知ることができる。この具体的な位置は、前記のように、相互に直交する方向に発光素子及び受光素子並びに反射鏡の組が設けられることにより、二次元座標系上の値として得られることになる。
このようなタッチパネル・デバイス５００付きの表示装置３００を用いると、例えば図１０に示すような使用方法を実現することができる。図１０においては、切符購入客及び業務員が、表示装置３００を用いて切符を購入する場面が図示されている。図１０では、切符購入客が、第１画像表示面３１０上の適当な箇所を指で触れることにより、表示ユニット３０１として組み込まれたタッチパネル・デバイス５００が作動し、当該箇所の具体的座標を検知することによって、新たなメニュー画像を表示する、或いは場合によりエラーメッセージを出す、などといった次なる適当な処理を実施するようになっている（不図示）。
そして、第３実施例では、このようなタッチパネル・デバイス５００付きの表示装置３００によって、次のような利点が得られる。すなわち、この表示装置３００によれば、図１０（ｂ）に示すように、第２画像表示面３２０に、切符購入客側から見て意味のある画像ではあるが、業務員にとっては判読が困難な画像が表示されていることになる。ただし、ここで判読が困難とはいっても、業務員は、切符購入客が、画面上のどの部分に指を触れるかは確認することはできる。したがって、この場合、業務員は、切符購入客の意思を口頭で確認した上で、当該切符購入客に画面上の操作を行わせることで、該切符購入客にイニシアティブをもたせて切符購入の一連の作業を行わせることができるとともに、もし、画面操作（指の触れる位置）に間違いがある場合には、業務員は、これを適切に指摘することができるようになっているのである。
このように、第３実施例では、表示装置３００が、第１画像表示面３１０及び第２画像表示面３２０を備えていることにより、図１０に示すような業務員のような者が、客の操作をチェックしつつ、且つ、商談を展開させるようなことが可能となるのである。より詳細には、第３実施例において、図１０でいうところの「業務員」と、「切符購入客」より一般に顧客とは、透過性の表示ユニット３０１を挟んで対向していることから、業務員からみれば顧客が画面上どの部分に触れたのか、また顧客からみれば業務員が画面上どの部分に触れたのかを相互に確認することができるようになっている。したがって、例えば図１０（ｂ）よりも複雑な画面が顧客に提示されており、顧客が即座にはどのような操作をすべきかを決し得ないなどというような場合には、まず、業務員（この者は前記複雑な画面の内容を知悉しているものとする。）が、自らの指でもって顧客が指し示すべき画面上の部分を示唆し、顧客はそれを表示ユニット３０１の背面から確認した後、業務員の指示どおりにタッチパネル・デバイス５００を作動させ（つまり、画面上の所定の部分に指を当て）、業務員はその顧客の操作をやはり表示ユニット３０１の背面から確認する、というような運用が可能となる。このように、第３実施例に係る表示装置３００によれば、よりユーザフレンドリーな表示装置が提供されるということがいえるのである。
なお、上述では切符購入が例にあげられていたが、このような第３実施例の表示装置３００によれば、様々な場面での応用が可能である。特に、比較的高額の商品・権利等を購入する場面であるとか、或いはより複雑な商品構成等を説明する際に、当該表示装置３００を利用することは有効である。このような場合であっても、業務員が顧客の操作の展開、或いはその誤り等をチェックすることができることなどから、極めて有力な商談道具となることが考えられる。
また、前記において、図１０における第２画像表示面３２０には、「切符購入客側から見て意味のある画像ではあるが、業務員にとっては判読が困難な画像」が表示されている旨記載したが、ここで「困難」というのは程度問題である。すなわち、図１０（ｂ）の右方の第２画像表示面３２０における文字列は、同図左方の第１画像表示面３１０に比べれば、たしかにその判読が困難とはいえるものの、判読が「不可能」というわけではない。むしろ同図の例では、裏返っていても、比較的「容易」に判読できる例ということができる。このように、第１画像表示面にある画像が表示され、第２画像表示面に前記ある画像が裏返った画像が表示されている場合であっても、前記裏返った画像が、必ずしも無意味な画像である、或いは判読が不可能であるということにはならない。図１０（ｂ）のような簡単な文字列であれば、これが裏返った第２画像表示面３２０の画像もまた、なお有意味なのである。
ただ、これに関連して、第１及び第２画像表示面３１０及び３２０が同時に観察対象となるという事実に注意して、表示されるべき画像の内容につき事前に工夫をこらし、なるべく問題が生じないようにしておくことが好ましいとはいえる。例えば、画像の内容として、文字列を用いるのではなく、色や図形を用いれば、裏返った文字列の判読は困難でも、図１０（ａ）の業務員は、顧客に対し「黄色い四角」のボタンを押して下さい、などと説明を与えることができる。この場合、当該黄色い四角のボタンは、業務員及び顧客の双方にとって、等しく、黄色い四角のボタンである（即ち、いずれの者も当該表示の意味を完全且つ等しく了解する。）。また、文字列を使用するにしても、例えば図１０（ｃ）に示すような内容の画像、即ち正規及び反転した文字列の双方を含む画像を表示しておけば、業務員及び顧客の双方が、当該文字列を難なく判読することができる。
なお、以上述べたことは、本実施形態に係る各実施例のすべてについて、基本的に当てはまる事柄である。
加えて、上記第３実施例では、タッチパネル・デバイス５００として、いわゆる光学式のものが採用されていたが、本発明は、かかる形式に限定されるわけでは勿論ない。この他にも、例えば、静電容量方式、超音波方式、或いは抵抗膜方式など、基本的に如何なる方式であっても採用することが可能である。
加えて更に、上記第３実施例では、タッチパネル・デバイス５００は、第１画像表示面３１０の側にのみ設けられていたが、本発明は、このような形態にも限定されない。タッチパネル・デバイスは、第１及び第２画像表示面の双方について設けられていてもよいし、場合により、第１又は第２画像表示面の一部についてのみに設けられていてもよい。
（第４実施例  −  携帯電話に適用した形態）
図１１を参照して、本発明の表示装置に係る第４実施例について説明する。図１１（ａ）〜図１１（ｄ）は、本発明の表示装置を携帯電話に適用した場合を示す概要図である。なお、以下の説明では、第４実施例の表示装置に関して、第１実施例と同様な部分等についての説明は、省略ないしは簡略化する。
図１１に示すように、表示装置４００は、携帯電話６００の一部として組み込まれている。より詳細には、携帯電話６００は、第１筐体６１０及びプッシュボタン６２１を備えた第２筐体６２０からなり、第１筐体６１０及び第２筐体６２０は、ヒンジ６０５を介して、図中矢印に示すように回動自在に連結されている。これにより、第１筐体６１０を中心としてみれば、第２筐体６２０は、該第１筐体６１０に対して、本発明に言う「閉じた状態」の一例である折り畳まれた状態（図１１（ｃ）又は図１１（ｄ）参照）又は開いた状態（図１１（ａ）又は図１１（ｂ）参照）をとりうるようになっている。そして、これら第１筐体６１０及び第２筐体６２０のうち、表示装置４００は、第１筐体６１０の側に設けられている。
この表示装置４００は、基本的には、前記の第１実施例の表示装置１００と同様な構成を備えている。即ち、該表示装置４００は、第１筐体６１０にいわば嵌め込まれるようにして配置されており、その一面が第１画像表示面４１０、その裏面が第２画像表示面４２０とされていて、いずれにおいても画像表示が可能となっている。また、当該携帯電話６００のユーザは、これら第１画像表示面４１０及び第２画像表示面４２０のいずれをも視認可能である。
また、図示はされないが、第４実施例の携帯電話６００では、第１筐体６１０及び第２筐体６２０が相互に開いた状態にあるとき及び折り畳まれた状態にあるときの相違に応じて、第１画像表示面４１０上の画像及び第２画像表示面４２０上の画像を相互に左右で反転させる画像反転手段が設けられている。この画像反転手段は、第１実施例にかかる図１、図２及び図４における画像切替スイッチ１１１及び１２１に相当するが、第４実施例において特徴があるのは、画像切替スイッチ１１１及び１２１のようにユーザによる直接的なボタン操作を必要とするのではなく、第１筐体６１０及び第２筐体６２０が、開いた状態にあるか、或いは折り畳まれた状態にあるかを自動的に検知することによって、画像の反転を行うところにある。
かかる構造を有する携帯電話６００によれば、次のような作用効果が得られる。まず、第１筐体６１０及び第２筐体６２０が開いた状態にあるとき、表示装置４００においては、図１１（ａ）及び（ｂ）に示すような画像表示が行われる。この開いた状態は、携帯電話６００の通常操作時に該当し、プッシュボタン６２１が設けられている操作面、即ち第１画像表示面４１０において正規の画像を表示する必要性が高いが、その背面、即ち第２画像表示面６２０では判読に困難な画像が表示されていても特に問題が生じない。よって、図１１（ａ）及び（ｂ）のような画像表示が行われるのである。他方、第１筐体６１０及び第２筐体６２０が折り畳まれた状態にあるとき、表示装置４００においては、図１１（ｃ）に示すような画像表示、即ち第２画像表示面４２０において、図１１（ｂ）に示す画像を左右に反転した画像の表示、つまり該第２画像表示面４２０において正規の画像の表示が行われることになる。このような画像表示は、第１筐体６１０及び第２筐体６２０が、図１１（ａ）及び（ｂ）に示すような開いた状態から折り畳まれた状態とされたときに、前記画像反転手段によって自動的に行われることになる。なお、第１筐体６１０及び第２筐体６２０が折り畳まれた状態にあるとき、前記の図１１（ｂ）では、ヒンジ６０５を下側にした状態で使用されることが想定されているが、これとは反対に、ヒンジ６０５を上側にした状態で使用される場合もありうる。この場合には、図１１（ｄ）に示すように、図１１（ｂ）からみて上下及び左右をともに反転させた画像を第２画像表示面４２０に表示させるようにしてもよい。
このように、第４実施例によれば、携帯電話６００のユーザに余計な操作を要求することなく、また、そうであっても、該ユーザに適切な情報を伝達することができるのである。
なお、上記第４実施例においては、画像切替が自動的に行われるようになっていたが、本発明は、このような形態に限定されない。すなわち、携帯電話においても、第１実施例で説明した画像切替スイッチ１１１及び１２１に相当する操作手段を備えることが可能であり、これによれば、ユーザが該操作手段を操作することによって、画像切替を行うことができる。また、昨今の携帯電話においては、いわゆる「カメラ付き携帯」と呼ばれるものも市場に登場している。この場合、前記の表示装置４００は、当該カメラ用のファインダとして利用し得る。そして、表示装置４００をファインダとして用いる場合には、通常撮影を行う場合（ユーザに対向的に位置する被写体を撮影する場合）と自らを撮影対象とする場合（ユーザ自らを被写体とする場合）とで、画像の切り替えを行い得るようになっていることが便利である。このとき、前記のような操作手段が設けられていれば、ユーザの手動により、画像切替を行うことができるから、ファインダとしての機能を十二分に享受することができる。
また、携帯電話の具体的形態としては、図１１に示したようなタイプのものだけではなく、図１２から図１４に示すような種々のタイプが提案されている。図１２の携帯電話６００´は、図１１の携帯電話６００を基本としつつも（即ち、折り畳んだ状態及び開いた状態が、図１１（ａ）乃至図１１（ｄ）と同様に実現できつつも）、ヒンジ６５０及び６５１、とりわけヒンジ６５１の構成に特徴があり、第１筐体６１０を、第２筐体６２０に対して、同図の矢印Ｔに示すように相対的にねじることが可能とされている方式となっている。また、この図１２では、携帯電話６００´にカメラレンズ６８０が設けられていることが図示されており、当該携帯電話６００´は、前記のいわゆる「カメラ付き携帯」の一種となっている。この場合、既に述べたように、表示装置４００は、当該カメラのファインダとして機能し得るから、前記した事項がそのまま当てはまることになる。
あるいは、図１３の携帯電話８００は、図１１の携帯電話６００とは異なり、ヒンジ８０５の構成に特徴があり、第１筐体８１０及びプッシュボタン８２１を備えた第２筐体８２０が、相対的に、当該ヒンジ８０５を中心として、あたかもジャックナイフの如く回転する方式となっている（図１３（ａ）から同図（ｂ）を経て同図（ｃ）又はその逆）。このような方式では、例えば図１３（ｃ）から図１３（ｄ）へ又はその逆への画像切替時、本実施形態の表示装置４００の特性が活かされ得る。また、図示されないが、図１３（ａ）の背面には、図１１（ｂ）と同様、判読に困難な画像が表示されていることになるが、場合により、当該背面を前面として正規画像を表示させるようにしてもよい。
あるいは更に、図１４の携帯電話９００は、図１１の携帯電話６００とは異なり、ヒンジをもたず、第１筐体９１０が、プッシュボタン９２１を備えた第２筐体に９２０に対して相対的にスライドする方式となっている（図１４（ａ）から同図（ｂ）を経て同図（ｃ）又はその逆）。このような方式では、例えば図１４（ｃ）及びその上下を反転させて図示した図１４（ｄ）間での画像切替時、本実施形態の表示装置４００の特性が活かされ得る。また、図示されないが、図１４（ａ）の背面には、図１１（ｂ）と同様、判読に困難な画像が表示されていることになるが、場合により、当該背面を前面として正規画像を表示させるようにしてもよい。
なお、図１４（ｃ）及び（ｄ）に示す状態は、厳密には、「折り畳まれた状態」とは言いにくくいが、なお本発明に言う「閉じた状態」に該当するといい得る。同様に、図１４（ａ）に示す状態もまた、本発明に言う「開いた状態」に該当するといい得る。
このように、各種の方式となる携帯電話６００´、８００及び９００があり得るが、本発明に係る表示装置は、基本的に、どのような方式となる携帯電話においても適用することが可能である。
（第５実施例  −  ノートパソコンに適用した形態）
図１５を参照して、本発明の表示装置に係る第５実施例について説明する。図１５（ａ）〜図１５（ｃ）は、本発明の表示装置をノートパソコンに適用した場合を示す概要図である。なお、以下の説明では、第５実施例の表示装置に関して、第１実施例と同様な部分等についての説明は、省略ないしは簡略化する。
図１５に示すように、表示装置５００は、ノートパソコン７００の一部として組み込まれている。より詳細には、ノートパソコン７００は、第１筐体７１０及び図示しないキーボードを備えた第２筐体７２０からなり、第１筐体７１０及び第２筐体７２０は、ヒンジ７０５を介して、図中矢印に示すように回動自在に連結されている。これにより、第１筐体７１０を中心としてみれば、第２筐体７２０は、該第１筐体７１０に対して、折り畳まれた状態（不図示）又は開いた状態（図１５参照）をとりうるようになっている。そして、これら第１筐体７１０及び第２筐体７２０のうち、表示装置５００は、第１筐体７１０の側に設けられている。
この表示装置５００は、基本的には、前記の第１実施例の表示装置１００と同様な構成を備えている。即ち、該表示装置５００は、第１筐体７１０にいわば嵌め込まれるようにして配置されており、その一面が第１画像表示面５１０、その裏面が第２画像表示面５２０とされていて、いずれにおいても画像表示が可能となっている。また、当該ノートパソコン７００のユーザは、これら第１画像表示面５１０及び第２画像表示面５２０のいずれをも視認可能である。
また、第５実施例のノートパソコン７００では、第１実施例にかかる図１、図２及び図４における画像切替スイッチ１１１及び１２１に相当する画像切替ボタン７０１が、第２筐体７２０に設けられている。
かかる構造を有するノートパソコン７００によれば、次のような作用効果が得られる。まず、第１筐体７１０及び第２筐体７２０が開いた状態にあるとき、表示装置５００においては、図１５（ａ）及び（ｂ）に示すような画像表示が行われる。この状態においては、キーボードが設けられている操作面、即ち第１画像表示面５１０において正規の画像が表示されており、その背面、即ち第２画像表示面５２０では判読に困難な画像が表示されている。他方、この状態において、前記画像切替ボタン７０１が押下されると、図１５（ｃ）に示すような画像表示、即ち第２画像表示面５２０において、図１５（ｂ）に示す画像を左右に反転した画像の表示、つまり該第２画像表示面５２０において正規の画像の表示が行われることになる。このような画像表示により、当該ノートパソコン７００のキーボード操作面に対向しない者にも、正確な情報を伝達することができる。また、この場合、マウスポインタ（不図示）を用いて画像内容の説明を行えば、キーボード操作面に対向しない者における当該画像の理解はより促進される。なお、マウスポインタは、キーボード操作面に対向している者及び対向していない者の双方によって操作可能とされているとよい。また、該マウスポインタ自身は、通常は、矢印の図形などとして表示されるから、キーボード操作面に対向する者及びしない者のいずれにとっても、判読が困難であるということは生じない。
このように、第５実施例によっても、前記の第１実施例の表示装置１００と略同様な作用効果が得られることになる。
なお、この第５実施例のノートパソコン７００においても、前記の第４実施例で説明した「画像切替手段」を設けるようにしてもよい。すなわち、ノートパソコン７００の第１筐体７１０及び第２筐体７２０が開いた状態にあるか、或いは折り畳まれた状態にあるかのいずれかを自動的に検知し、それに応じて、画像を反転するような仕組みを併せもっていてもよい。また、これに関連して、画像反転の契機としては、例えば、キーボード操作面に対向している者によるキーボード操作、或いはマウス操作等が完了した時点で、自動的に、画像の反転が行われるようになされていてもよい。
さらに、画像反転を実行する方法としては、前記の図４を参照して説明したような方法に限られない。即ち、先に述べた画像反転の契機とも関連して、画像の反転が、前記ノートパソコン７００に搭載されるワープロソフト・画像描画ソフト等のソフトウェア上で（いわば、よりユーザに近い側で）行われるようになっていてもよい。このようなソフトウェアを用いる画像反転方法を採用すれば、極めて柔軟性に富んだ画像の反転を行うことができる。例えば、キーボード操作に伴って正規画像と反転画像が同時に画面上に展開されていくなどということも可能であるし、画像の一部のみを反転させる等ということも、プログラミング次第、或いはソフトウェア上におけるユーザによる任意の設定次第で簡単に実現することができる。図１６においては、第１ウインドウ５５１及び第２ウインドウ５５２を表示しておき、キーボード操作者は第１ウインドウ５５１上で文字列を入力し、これを確定すると、第２ウインドウ５５２に当該文字列が反転した文字列が表示される例を示しておいた（図では、「消費は、」は確定済み、「びとく？」（＝美徳？）は入力中で未確定であることが表されている。）。なお、このようなことは、本実施形態に係る各実施例のすべてについて基本的に当てはまることではあるが、第５実施例のように、本実施形態に係る表示装置が、各種のソフトウェアの搭載がそもそも前提とされているパソコンに適用される場合に、よりよく当てはまるということができる。
なお、前記においては、本発明の表示装置を、第４実施例では携帯電話６００に、第５実施例ではノートパソコン７００にそれぞれ適用した例について説明したが、本発明の表示装置は、その他各種の電子機器に適用可能であることは言うまでもない。例えば、電子手帳、時計や、ノート型ではないパーソナルコンピュータ、ＣＣＤ（Ｃｈａｒｇｅ−Ｃｏｕｐｌｅｄ  Ｄｅｖｉｃｅ）カメラ等を備えた撮像装置（以下、「持ち運び可能なビデオカメラ」という。）などに加えて、コピー装置及びファクシミリ装置等の画像形成装置、現金自動預け払い機（ＡＴＭ；Ａｕｔｏｍａｔｅｄ−Ｔｅｌｌｅｒ  Ｍａｃｈｉｎｅ）、更には信号機等々に適用可能である。
このうち特に、持ち運び可能なビデオカメラは、現状、そのファインダとして表示装置が使用されており、且つ、該ファインダないし該表示装置は、当該持ち運び可能なビデオカメラ本体に一種特殊な機械的構成によって回動可能に連結されているものが知られている。これは、例えば、撮影対象である相手方にどのような録画が行われることとなるかを確認させるためなどに利用されている。しかるに、本発明に係る表示装置を前記ファインダに適用すれば、当該表示装置は、いずれも画像表示可能な、或いは視認可能な第１画像表示面及び第２画像表示面を有しているから、前記特殊な機械的構成を備えることなく、前述したような作用効果を発揮させることができる。また、この場合、当該持ち運び可能なビデオカメラに、第１実施例で説明した画像切替スイッチ１１１及び１２１に相当する操作手段を備えれば、ユーザが該操作手段を操作することによって、通常撮影を行う場合と自らを撮影対象とする場合とで、画像の切り替えを行うことなども可能になる。
本発明は、上述した実施形態或いは実施例に限られるものではなく、請求の範囲及び明細書全体から読み取れる発明の要旨、あるいは思想に反しない範囲で適宜変更可能であり、そのような変更を伴う表示装置及び電子機器もまた、本発明の技術的範囲に含まれるものである。
【図１】
2004114272.tif 000005
【図２】
2004114272.tif 000006
【図３】
2004114272.tif 000007
【図４】
2004114272.tif 000008
【図５】
2004114272.tif 000009
【図６】
2004114272.tif 000010
【図７】
2004114272.tif 000011
【図８】
2004114272.tif 000012
【図９】
2004114272.tif 000013
【図１０】
2004114272.tif 000014
【図１１】
2004114272.tif 000015
【図１２】
2004114272.tif 000016
【図１３】
2004114272.tif 000017
【図１４】
2004114272.tif 000018
【図１５】
2004114272.tif 000019
【図１６】
2004114272.tif 000020
【国際調査報告】
2004114272.tif 000021
2004114272.tif 000022
2004114272.tif 000023
2004114272.tif 000024